(57)【要約】【課題】ペン先没入状態及びペン先突出状態の何れの状態においても、摩擦部を用いた摩擦操作が可能であるとともに、摩擦操作しないときは摩擦部の汚れを確実に防止できる熱変色性筆記具を提供する。【解決手段】ノック部材６の外面と軸筒２の内面との間に、可動筒状体８が前後方向に移動可能且つ後端孔２３より後方に突出可能に配置される。可動筒状体８の後端部に弾性材料からなる摩擦部が設けられる。可動筒状体８が後端孔２３より軸筒２内に完全に没入可能に構成される。可動筒状体８が後端孔２３より後方に最大突出状態のとき、摩擦部９の後端がノック部材６の後端より後方に位置されるか、または摩擦部９の後端と前記ノック部材６の後端の前後の位置が一致される。【選択図】  図５
2018108670.tif 000002
【特許請求の範囲】
【請求項１】
筆記体の内部に熱変色性インキを収容し、前記筆記体の前端に前記熱変色性インキが吐出可能なペン先を設け、前記筆記体を軸筒内に前後方向に移動可能に収容し、前記軸筒の後端孔から後方にノック部材を突出させ、ペン先没入状態から前記ノック部材を前方に押圧することにより前記ペン先を前記軸筒の前端孔から突出状態にし、ペン先突出状態から前記ノック部材を前方に押圧することにより前記ペン先を前記軸筒の前端孔から前記軸筒内に没入状態にする出没機構を備え、前記出没機構が、前記軸筒内面に設けたカム部と、前記カム部に係合し且つ前記筆記体の後端に当接する回転部材と、前記回転部材に係合する前記ノック部材と、前記軸筒内に収容され且つ前記筆記体または前記回転部材を後方に付勢する弾発体とからなり、前記軸筒の後端部に、前記熱変色性インキの筆跡を摩擦しその際に生じる摩擦熱で前記熱変色性インキの筆跡を熱変色可能な摩擦部を備えた熱変色性筆記具であって、
前記ノック部材の外面と前記軸筒の内面との間に、可動筒状体が前後方向に移動可能且つ後端孔より後方に突出可能に配置され、前記可動筒状体の後端部に弾性材料からなる摩擦部が設けられ、前記可動筒状体が前記後端孔より軸筒内に完全に没入可能に構成されるとともに、前記可動筒状体が前記後端孔より後方に最大突出状態のとき、前記摩擦部の後端が前記ノック部材の後端より後方に位置されるか、または前記摩擦部の後端と前記ノック部材の後端の前後の位置が一致されることを特徴とする熱変色性筆記具。
【請求項２】
前記可動筒状体の内孔に前記ノック部材が貫通される請求項１に記載の熱変色性筆記具。
【発明の詳細な説明】
【技術分野】
【０００１】
本発明は、熱変色性筆記具に関する。
【背景技術】
【０００２】
従来、例えば、特許文献１には、軸筒の内部に筆記体を前後方向に移動可能に収容し、前記筆記体の内部に熱変色性インキを収容し、前記筆記体の前端に前記熱変色性インキが吐出可能なペン先を設け、前記軸筒の後端にノック体を設け、ペン先没入状態から前記ノック体を前方に押圧操作することによりペン先突出状態にさせ且つ該ペン先突出状態から前記ノック体を前方に再度押圧操作することによりペン先没入状態にさせる出没機構を備え、前記軸筒の外面に、前記熱変色性インキの筆跡を摩擦しその際に生じる摩擦熱で該筆跡を熱変色可能な低摩耗性の弾性材料からなる摩擦体を設けた熱変色性筆記具であって、前記軸筒の後端のノック体近傍に前記摩擦体を設け、ペン先没入状態において、前記ノック体後端が前記摩擦体後端より後方に、ペン先突出状態よりも大きく突出されることを特徴とする熱変色性筆記具が開示されている。  
【先行技術文献】
【特許文献】
【０００３】
【特許文献１】特開２０１４−１９３５７１号公報
【発明の概要】
【発明が解決しようとする課題】
【０００４】
前記特許文献１の熱変色性筆記具は、ペン先没入状態では、ノック体後端が摩擦体後端より後方に、ペン先突出状態よりも大きく突出されるため、摩擦体を用いた摩擦操作が困難である。また、前記特許文献１の熱変色性筆記具は、摩擦体が軸筒外部に露出されるため、摩擦体の汚れ確実に防止することが容易ではない。
【０００５】
本発明は、前記従来の問題点を解決するものであって、ペン先没入状態及びペン先突出状態の何れの状態においても、摩擦部を用いた摩擦操作が可能であるとともに、摩擦操作しないときは摩擦部の汚れを確実に防止できる熱変色性筆記具を提供しようとするものである。
【０００６】
尚、本発明において、「前」とはペン体側を指し、「後」とはその反対側を指す。本発明で、「ペン先没入状態」とは、ペン先が軸筒内に没入した状態をいい、「ペン先突出状態」とは、ペン先が軸筒の前端より外部に突出した状態をいう。本発明で、「摩擦部没入状態」とは、摩擦部が軸筒内に没入した状態をいい、「摩擦部突出状態」とは、摩擦部が軸筒の後端孔より外部に突出した状態をいう。
【課題を解決するための手段】
【０００７】
本願の第１の発明に係る熱変色性筆記具は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端孔２３から後方にノック部材６を突出させ、ペン先没入状態から前記ノック部材６を前方に押圧することにより前記ペン先３１を前記軸筒２の前端孔２１から突出状態にし、ペン先突出状態から前記ノック部材６を前方に押圧することにより前記ペン先３１を前記軸筒２の前端孔２１から前記軸筒２内に没入状態にする出没機構を備え、前記出没機構が、前記軸筒２内面に設けたカム部４と、前記カム部４に係合し且つ前記筆記体３の後端に当接する回転部材５と、前記回転部材５に係合する前記ノック部材６と、前記軸筒２内に収容され且つ前記筆記体３または前記回転部材５を後方に付勢する弾発体７とからなり、前記軸筒２の後端部に、前記熱変色性インキの筆跡を摩擦しその際に生じる摩擦熱で前記熱変色性インキの筆跡を熱変色可能な摩擦部９を備えた熱変色性筆記具であって、
前記ノック部材６の外面と前記軸筒２の内面との間に、可動筒状体８が前後方向に移動可能且つ後端孔２３より後方に突出可能に配置され、前記可動筒状体８の後端部に弾性材料からなる摩擦部９が設けられ、前記可動筒状体８が前記後端孔２３より軸筒２内に完全に没入可能に構成されるとともに、前記可動筒状体８が前記後端孔２３より後方に最大突出状態のとき、前記摩擦部９の後端が前記ノック部材６の後端より後方に位置されるか、または前記摩擦部９の後端と前記ノック部材６の後端の前後の位置が一致されることを要件とする。
【０００８】
前記第１の発明に係る熱変色性筆記具１は、前記構成により、ペン先没入状態及びペン先突出状態の何れの状態においても、摩擦部９を用いた摩擦操作が可能であるとともに、摩擦操作しないときは摩擦部９の汚れを確実に防止できる。
【０００９】
本願の第２の発明に係る熱変色性筆記具１は、前記第１の発明に係る熱変色性筆記具において、前記可動筒状体８の内孔に前記ノック部材６が貫通されることを要件とする。
【００１０】
前記第２の発明に係る熱変色性筆記具１は、前記構成により、可動筒状体８とノック部材６とが、互いに連動せず、独立して設けることができる。その結果、ペン先没入状態及びペン先突出状態の何れの状態においても、摩擦部９を用いた摩擦操作が可能となる構成を得る。
【発明の効果】
【００１１】
本発明の熱変色性筆記具は、ペン先没入状態及びペン先突出状態の何れの状態においても、摩擦部を用いた摩擦操作が可能であるとともに、摩擦操作しないときは摩擦部の汚れを確実に防止できる。
【図面の簡単な説明】
【００１２】
【図１】本発明の実施の形態のペン先没入状態且つ摩擦部没入状態を示す縦断面図である。
【図２】図１の要部拡大縦断面図である。
【図３】図１のペン先突出状態且つ摩擦部没入状態を示す縦断面図である。
【図４】図３の要部拡大縦断面図である。
【図５】図１のペン先没入状態且つ摩擦部突出状態を示す縦断面図である。
【図６】図５の要部拡大縦断面図である。
【図７】図１のペン先突出状態且つ摩擦部突出状態を示す縦断面図である。
【図８】図７の要部拡大縦断面図である。
【図９】図１の摩擦部没入状態を示す要部斜視図である。
【図１０】図１の摩擦部突出状態を示す要部斜視図である。
【図１１】図１の出没機構を示す分解図である。
【発明を実施するための形態】
【００１３】
本発明の筆記具の実施の形態を図面に従って説明する。（図１乃至図１１参照）
本実施の形態の熱変色性筆記具１は、軸筒２と、該軸筒２内に収容される筆記体３と、該筆記体３のペン先３１を軸筒２の前端孔２１より出没自在にさせる出没機構とを備える。前記軸筒２は、円筒状の前軸２ａと、該前軸２ａの後端に連結される円筒状の中間軸２ｂと、該中間軸２ｂの後端に連結される円筒状の後軸２ｃとからなる。
【００１４】
・前軸
前記前軸２ａは、先細円筒状の合成樹脂の成形体である。前記前軸２ａの前端には前端孔２１が前後方向に貫設される。前記前軸２ａの後端開口部外面には、オネジ部が一体に形成される。
【００１５】
・中間軸
前記中間軸２ｂは、円筒状の合成樹脂の成形体である。前記中間軸２ｂの内面には、カム部４が一体に形成される。中間軸２ｂの後端開口部の内面には、段部２２が形成される。
【００１６】
・後軸
前記後軸２ｃは、円筒状の合成樹脂の成形体である。前記後軸２ｃの後端には、後端孔２３が前後方向に貫設される。前記後軸２ｃの外面には、軸筒２外面とポケット等を挟持可能なクリップ２５が設けられる。前記クリップ２５は、後軸２ｃの外面に一体に形成されるか、または別部材の取り付けにより設けられる。前記後軸２ｃの側壁には、前後方向に延びるスライド孔２４が径方向に貫設される。前記後軸２ｃの前端部内面は、中間軸２ｂの後端部外面と嵌合により固着される。
【００１７】
・筆記体
前記筆記体３は、ペン先３１と、該ペン先３１が前端開口部に圧入固着されたインキ収容管３２と、該インキ収容管３２内に充填される熱変色性インキと、該熱変色性インキの後端に充填され且つ該熱変色性インキの消費に伴い前進する追従体（例えば高粘度流体）とからなる。
【００１８】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１９】
・ペン先
前記ペン先３１は、例えば、前端に回転可能にボールを抱持した金属製のボールペンのみからなる構成、または前記ボールペンチップの後部外面を保持した合成樹脂製のペン先ホルダーからなる構成のいずれであってもよい。また、前記インキ収容管３２の後端開口部に、インキ収容管３２と外部とが通気可能な通気孔を備えた尾栓を取り付けてもよい。
【００２０】
・出没機構
前記出没機構（図１１参照）は、回転カム機構を用いたノック式出没機構であり、軸筒２内面（中間軸２ｂ内面）に形成されたカム部４と、カム部４と係合し且つ筆記体３の後端と当接する回転部材５と、回転部材５及びカム部４と係合するノック部材６と、軸筒２内に収容され且つ筆記体３を後方に付勢する弾発体７（例えば圧縮コイルスプリング）とからなる。本実施の形態の出没機構は、ペン先突出操作及びペン先没入操作のいずれもがノック体を前方に押圧する操作のダブルノック式である。
【００２１】
前記カム部４は、前方に突出する鋸歯状の複数のカム歯４１と、該カム歯４１間に形成され、回転部材５が係合するカム溝４２とを備える。回転部材５は、その外面に長手方向に延びる３本の突条５１を備え、該突条５１が、カム部４のカム溝４２と係合される。ノック部材６は、その前端部に、カム部４のカム溝４２内を摺動するガイド突条６１と、回転部材５の突条５１の後端と係合するカム歯６２とを備える。
【００２２】
・ノック部材
前記ノック部材６は、前端が開口され且つ後端が閉鎖された有底筒状体であり、合成樹脂の成形体により得られる。前記ノック部材６は、大径部６ａとその後方に連設される小径部６ｂとからなる。大径部６ａは、中間軸２ｂ内に前後方向に移動可能に収容される。小径部６ｂは、後軸２ｃ内に前後方向に移動可能に収容される。ペン先没入状態において、ノック部材６の小径部６ｂは、後軸２ｃの後端孔２３より後方に突出され、ノック部材６の大径部６ａは、中間軸２ｂの後端開口部より後方に突出される。
【００２３】
ノック部材６の前端部外面（大径部６ａ）には、カム部４のカム溝４２内を摺動するガイド突条６１が一体に形成される。ペン先没入状態において、ガイド突条６１が中間軸２ｂの段部２２に係止され、それにより、ノック部材６の後端孔２３からの脱落が防止される。
【００２４】
・可動筒状体
可動筒状体８が，ノック部材６の外面と軸筒２（後軸２ｃ）の内面との間に、前後方向に移動可能且つ後端孔２３より後方に突出可能に配置される。可動筒状体８は合成樹脂の成形体により得られる。可動筒状体８は、前後方向に内孔が貫通される。可動筒状体８の側壁には、スライド孔２４に貫通し、軸筒２外部に突設されるスライド操作部８１が形成される。可動筒状体８の後端部には弾性材料（例えば、シリコーン樹脂、ＳＢＳ樹脂、ＳＥＢＳ樹脂等）からなる摩擦部９が設けられる。
【００２５】
スライド操作部８１を前後方向にスライドさせることより、可動筒状体８が前後方向に移動可能である。可動筒状体８は、後端孔２３より軸筒２内に完全に没入可能である。
【００２６】
また、可動筒状体８及び摩擦部９は、後端孔２３より後方に最大に突出された状態のとき、摩擦部９の後端が前記ノック部材６の後端より後方に位置されるか、摩擦部９の後端とノック部材６の後端との前後の位置が一致される。即ち、ペン先没入状態、ペン先突出状態の何れの状態においても、摩擦部９の後端より後方にノック部材６の後端が突出されない。
【００２７】
・摩擦部の出没
ペン先没入状態且つ摩擦部没入状態（図１及び図２）から、可動筒状体８のスライド操作部８１をスライド孔２４に沿って後方にスライドさせると、可動筒状体８が後端孔２３より後方に突出され、スライド孔２４の後端にスライド操作部８１が当接され、可動筒状体８の後方移動が規制された状態になる。このとき、可動筒状体８及び摩擦部９が後端孔２３より最大突出状態（図５及び図６）にあり、可動筒状体８の前端部の摩擦部９の後端は、ノック部材６の後端と前後の位置が同一であるか、または、ノック部材６の後端より後方に位置される。この状態で、摩擦部９を用いた摩擦操作が可能である。摩擦部９を用いた摩擦操作後、スライド操作部８１をスライド孔２４に沿って前方にスライドさせ、摩擦部没入状態（図１及び図２）となる。摩擦部没入状態において、スライド操作部８１がスライド孔２４の前端に当接され、可動筒状体８の前方移動が規制された状態になる。
【００２８】
ペン先突出状態且つ摩擦部没入状態（図３及び図４）から、可動筒状体８のスライド操作部８１をスライド孔２４に沿って後方にスライドさせると、可動筒状体８が後端孔２３より後方に突出され、スライド孔２４の後端にスライド操作部８１が当接され、可動筒状体８の後方移動が規制された状態になる。このとき、可動筒状体８及び摩擦部９が後端孔２３より最大突出状態（図７及び図８）にあり、可動筒状体８の前端部の摩擦部９の後端は、ノック部材６の後端より後方に位置される。この状態で、摩擦部９を用いた摩擦操作が可能である。摩擦部９を用いた摩擦操作後、スライド操作部８１をスライド孔２４に沿って前方にスライドさせ、摩擦部没入状態（図３及び図４）となる。摩擦部没入状態において、スライド操作部８１がスライド孔２４の前端に当接され、可動筒状体８の前方移動が規制された状態になる。
【００２９】
・ペン先の出没
ペン先没入状態からノック部材６を弾発体７による後方付勢に抗して前方に押圧操作すると、ノック部材６の前端が回転部材５を前方に押圧し、前記回転部材５の突条５１がカム溝４２に沿って前方に移動する。前記回転部材５が前方に移動することに伴って、前記回転部材５が筆記体３の後端を前方に押圧し、ペン先３１が前端孔２１より外部に突出される。このとき、前記ノック部材６のカム歯６２と前記回転部材５の突条５１との当接によって回転部材５がカム部４に対して一定角度だけ回転する。それにより、前記回転部材５の突条５１がカム部４のカム歯４１に係合され、ペン先突出状態が維持される。
【００３０】
ペン先突出状態からノック部材６を前方に押圧操作すると、ノック部材６の前端が回転部材５を前方に押圧し、前記ノック部材６のカム歯６２と前記回転部材５の突条５１との当接によって回転部材５がカム部４に対して一定角度だけ回転する。それによって、前記突条５１とカム部４のカム歯４１との係合状態が解除され、弾発体７による後方付勢により、前記突条５１がカム部４のカム溝４２に沿って後方に移動する。前記回転部材５が後方に移動することに伴って、筆記体３が後方に移動し、ペン先没入状態となる。前記ガイド突条６１はカム部４の後方の段部２２に係止し、ペン先没入状態が維持される。
【００３１】
本実施の形態の熱変色性筆記具１は、筆記体３の内部に熱変色性インキを収容し、前記筆記体３の前端に前記熱変色性インキが吐出可能なペン先３１を設け、前記筆記体３を軸筒２内に前後方向に移動可能に収容し、前記軸筒２の後端孔２３から後方にノック部材６を突出させ、ペン先没入状態から前記ノック部材６を前方に押圧することにより前記ペン先３１を前記軸筒２の前端孔２１から突出状態にし、ペン先突出状態から前記ノック部材６を前方に押圧することにより前記ペン先３１を前記軸筒２の前端孔２１から前記軸筒２内に没入状態にする出没機構を備え、前記出没機構が、前記軸筒２内面に設けたカム部４と、前記カム部４に係合し且つ前記筆記体３の後端に当接する回転部材５と、前記回転部材５に係合する前記ノック部材６と、前記軸筒２内に収容され且つ前記筆記体３または前記回転部材５を後方に付勢する弾発体７とからなり、前記軸筒２の後端部に、前記熱変色性インキの筆跡を摩擦しその際に生じる摩擦熱で前記熱変色性インキの筆跡を熱変色可能な摩擦部９を備えた熱変色性筆記具であって、前記ノック部材６の外面と前記軸筒２の内面との間に、可動筒状体８が前後方向に移動可能且つ後端孔２３より後方に突出可能に配置され、前記可動筒状体８の後端部に弾性材料からなる摩擦部９が設けられ、前記可動筒状体８が前記後端孔２３より軸筒２内に完全に没入可能に構成されるとともに、前記可動筒状体８が前記後端孔２３より後方に最大突出状態のとき、前記摩擦部９の後端が前記ノック部材６の後端より後方に位置されるか、または前記摩擦部９の後端と前記ノック部材６の後端の前後の位置が一致される。
【００３２】
本実施の形態の熱変色性筆記具１は、前記構成により、ペン先没入状態及びペン先突出状態の何れの状態においても、摩擦部９を用いた摩擦操作が可能であるとともに、摩擦操作しないときは摩擦部９の汚れを確実に防止できる。
【００３３】
また、本実施の形態の熱変色性筆記具１は、前記可動筒状体８内孔に前記ノック部材６が貫通される。それにより、可動筒状体８とノック部材６とが、互いに連動せず、独立して設けることができる。その結果、ペン先没入状態及びペン先突出状態の何れの状態においても、摩擦部を用いた摩擦操作が可能となる構成を得る。
【符号の説明】
【００３４】
１  熱変色性筆記具
２  軸筒
２１  前端孔
２２  段部
２３  後端孔
２４  スライド孔
２５  クリップ
２ａ  前軸
２ｂ  中間軸
２ｃ  後軸
３  筆記体
３１  ペン先
３２  インキ収容管
４  カム部
４１  カム歯
４２  カム溝
５  回転部材
５１  突条
６  ノック部材
６１  ガイド突条
６２  カム歯     
６ａ  大径部
６ｂ  小径部
７  弾発体
８  可動筒状体
８１  スライド操作部
９  摩擦部
【図１】
2018108670.tif 000003
【図２】
2018108670.tif 000004
【図３】
2018108670.tif 000005
【図４】
2018108670.tif 000006
【図５】
2018108670.tif 000007
【図６】
2018108670.tif 000008
【図７】
2018108670.tif 000009
【図８】
2018108670.tif 000010
【図９】
2018108670.tif 000011
【図１０】
2018108670.tif 000012
【図１１】
2018108670.tif 000013